(57)【要約】【課題】  ＯＰＣ遂行結果の信頼性を高めるために、ＯＰＣ遂行前にＯＰＣを行う領域の消去が最適に行われるように、該当の光ディスクの最適消去パワーを決定する光ディスク装置の最適消去パワー決定方法を提供する。【解決手段】  光ディスクに照射される光量を調節するために、印加されるパワーが変わるパワー対比変調度曲線を求める段階と、前記パワー対比変調度曲線で、前記パワーの変化による変調度の変化量を算出する段階と、前記算出された変調度の変化量を用いて最適の消去パワーを設定する段階とを含む。【選択図】図２
2007226948.tif 000002
【特許請求の範囲】
【請求項１】
光ディスクの最適記録パワーを検出するＯＰＣを行う前に、消去段階で光ディスク装置の最適消去パワーを決定する方法において、
前記光ディスクに照射される光量を調節するために、印加されるパワーが変わるパワー対比変調度曲線を求める段階と、
前記パワー対比変調度曲線で、前記パワーの変化による変調度の変化量を算出する段階と、
前記算出された変調度の変化量を用いて最適の消去パワーを設定する段階と、を含む光ディスク装置の最適消去パワー決定方法。
【請求項２】
前記パワー対比変調度曲線を求める段階は、前記光ディスクの所定部分にテストデータを記録する段階をさらに含み、前記パワー対比変調度曲線は、前記記録されたテストデータを再生して求めることを特徴とする請求項１に記載の光ディスク装置の最適消去パワー決定方法。
【請求項３】
前記テストデータは、前記印加されたパワーが所定大きさずつ順次可変されながら、前記光ディスクの所定部分に記録されることを特徴とする請求項２に記載の光ディスク装置の最適消去パワー決定方法。
【請求項４】
前記光ディスクの所定部分は、前記光ディスクに設けられたＰＣＡであることを特徴とする請求項２に記載の光ディスク装置の最適消去パワー決定方法。
【請求項５】
前記消去パワーを設定する段階において、
前記最適の消去パワーは、前記パワー対比変調度曲線で、前記変調度の変化量が最も大きい部分直前のパワーとして設定されることを特徴とする請求項１に記載の光ディスク装置の最適消去パワー決定方法。
【請求項６】
前記変調度の変化量が最も大きい部分は、前記パワー対比変調度曲線で変調度の変化量が最も大きく増加した部分であり、前記最適の消去パワーは、前記変調度の変化量が最も大きい部分直前のパワーと、その部分直前のパワーに所定の係数を掛け算して得たパワーと、の間のパワー範囲に設定されることを特徴とする請求項５に記載の光ディスク装置の最適消去パワー決定方法。
【請求項７】
光ディスクの最適記録パワーを検出するＯＰＣを行う前に、消去段階で光ディスクの最適の消去パワーを決定する方法において、
前記光ディスクの所定部分にテストデータを記録する段階と、
前記テストデータが前記光ディスクの所定部分に記録されはじめる時点にレーザーダイオードに印加されるパワーを検出する段階と、
前記検出されたパワーが含まれた所定範囲を最適の消去パワーとして設定する段階と、を含む光ディスク装置の最適消去パワー決定方法。
【請求項８】
前記テストデータは、前記レーザーダイオードに印加されるパワーを可変しながら記録されることを特徴とする請求項７に記載の光ディスク装置の最適消去パワー決定方法。
【請求項９】
前記テストデータが前記光ディスクの所定部分に記録されはじめる時点のパワーは、前記パワー対比変調度曲線を用いて検出されることを特徴とする請求項７に記載の光ディスク装置の最適消去パワー決定方法。
【請求項１０】
前記光ディスクの所定部分は、前記光ディスクに設けられたＰＣＡであることを特徴とする請求項７に記載の光ディスク装置の最適消去パワー決定方法。
【請求項１１】
前記テストデータが前記光ディスクの所定部分に記録されはじめる時点のパワーは、前記パワー対比変調度曲線の勾配が急激に変わる部分直前のパワーであることを特徴とする請求項９に記載の光ディスク装置の最適消去パワー決定方法。
【請求項１２】
前記検出されたパワーが含まれた所定範囲は、前記検出されたパワーと、前記検出されたパワーに所定の係数を掛け算して得たパワーとの間であることを特徴とする請求項７に記載の光ディスク装置の最適消去パワー決定方法。
【請求項１３】
前記変調度（ｍ）は、次の式のように表現されることを特徴とする請求項１に記載の光ディスク装置の最適消去パワー決定方法。
ｍ＝（Ｉｍａｘ−Ｉｍｉｎ）／Ｉｍａｘ
（Ｉｍａｘは、光信号のうちランド部分のＲＦ信号の振幅で、（Ｉｍａｘ−Ｉｍｉｎ）は、再生ＲＦ信号の振幅である。）
【請求項１４】
前記変調度（ｍ）は、次の式のように表現されることを特徴とする請求項９に記載の光ディスク装置の最適消去パワー決定方法。
ｍ＝（Ｉｍａｘ−Ｉｍｉｎ）／Ｉｍａｘ
（Ｉｍａｘは、光信号のうちランド部分のＲＦ信号の振幅で、（Ｉｍａｘ−Ｉｍｉｎ）は、再生ＲＦ信号の振幅である。）
【請求項１５】
請求項１の方法を行う光ディスク装置。
【請求項１６】
請求項７の方法を行う光ディスク装置。
【請求項１７】
印加されたパワーを変化し、結果として得られた変調度を検出することで、パワー対比変調度の関係を求める段階と、
前記求められたパワー対比変調度の関係に基づいて最適の消去パワーを設定する段階と、を含む光ディスク装置の最適消去パワー決定方法。
【請求項１８】
前記結果として得られた変調度は、次の式のように表現されることを特徴とする請求項１７に記載の光ディスク装置の最適消去パワー決定方法。
ｍ＝（Ｉｍａｘ−Ｉｍｉｎ）／Ｉｍａｘ
（Ｉｍａｘは、光信号のうちランド部分のＲＦ信号の振幅で、（Ｉｍａｘ−Ｉｍｉｎ）は、再生ＲＦ信号の振幅である。）
【請求項１９】
光ディスクの表面上のデータを消去するために、前記最適の消去パワーを用いる段階をさらに含む請求項１７に記載の光ディスク装置の最適消去パワー決定方法。
【請求項２０】
前記最適の消去パワーを設定した後、最適の記録パワーを決定するためにＯＰＣを行う段階をさらに含む請求項１７に記載の光ディスク装置の最適消去パワー決定方法。
【請求項２１】
求められたパワー対比変調度の関係に基づいて最適の消去パワーを設定する段階と、
ＯＰＣを行う前にＯＰＣ結果の信頼性を高めるために、前記設定された最適の消去パワーを用いて、ＯＰＣが行われる光ディスクの一部を消去する段階と、を含む光ディスク装置の最適消去パワー決定方法。
【請求項２２】
前記ディスクの一部の消去は、前記光ディスクの部分を均一にするために行われることを特徴とする請求項２１に記載の光ディスク装置の最適消去パワー決定方法。
【請求項２３】
前記最適の消去パワーは、前記求められたパワー対比変調度関係の勾配が所定値より大きいパワーに設定されることを特徴とする請求項２１に記載の光ディスク装置の最適消去パワー決定方法。
【請求項２４】
前記最適の消去パワーは、パワーに対応する変調度が所定値を超えるパワーに設定されることを特徴とする請求項２１に記載の光ディスク装置の最適消去パワー決定方法。
【発明の詳細な説明】
【技術分野】
【０００１】
本発明は、光ディスク装置のパワー制御方法に関するもので、一層詳しくは、光ディスクが挿入され、最適の記録パワーを検出するＯＰＣ（Ｏｐｔｉｍｕｍ  Ｐｏｗｅｒ  Ｃａｌｉｂｒａｔｉｏｎ）を行う前に、光ディスクの所定部分に記録されたデータを消去することで、最適の消去パワーを決定する光ディスク装置の最適消去パワー決定方法に関するものである。
【背景技術】
【０００２】
一般的に、光機器は、レーザーを用いて光ディスクに各種の情報を記録／再生するものである。また、光ディスク装置は、ＣＤ（コンパクトディスク）、ＤＶＤ（デジタルバーサタイルディスク）、ブルーレイディスク及びＨＤ−ＤＶＤなどの光ディスクに大容量の情報を記録するか、記録された情報を読み取る装置として広く用いられている。
【０００３】
光ディスクは、ＣＤ−ＲＯＭ、ＤＶＤ−ＲＯＭなどの記録不可能な光ディスクと、ＣＤ−Ｒ、ＤＶＤ−Ｒなどの１回に限ってデータ記録可能な光ディスクと、ＣＤ−ＲＷ、ＤＶＤ−ＲＷ、ＤＶＤ−ＲＡＭなどの何回もデータ記録可能な光ディスクと、に分けられる。
【０００４】
また、記録可能な光ディスクは、記録層に有機色素が塗布されたＣＤ−Ｒ、ＤＶＤ−Ｒなどの１回記録可能な光ディスクと、記録層に相変化物質が塗布されたＣＤ−ＲＷ、ＤＶＤ−ＲＷなどの何回も記録可能な光ディスクと、に分けられる。ＣＤ−Ｒなどの１回記録可能な光ディスクは、レーザー光によって記録層の有機色素が化学変化を起こすことで、所定領域にマークを形成してデータを記録するので、データがマークとして記録されると、そのマークされた領域にデータを再び記録することはできない。ＣＤ−ＲＷなどの何回も記録可能な光ディスクは、レーザー光が記録層の相変化物質の所定部分に照射されることで、データを記録する。相変化物質の所定部分は、レーザー光によって融点付近（約５００〜７００℃）にまで温度が上昇することで、不安定な液体状態に変化した後、温度が下降することで、不安定な液体状態が非結晶状態に変わる。一般的に、非結晶状態の屈折率が結晶状態の屈折率より小さいので、光ディスクの反射率に差が発生する。その結果、この差を用いて、データが光ディスクに記録される。さらに、相変化物質は、約２００℃に温度が上昇して比較的長い時間の間加熱されると、結晶状態に戻る。したがって、通常、データの消去時にレーザーダイオードに印加されるパワーは、データの記録時にレーザーに印加されるパワーより小さい。
【０００５】
ブルーレイディスク、ＨＤ−ＤＶＤなどの記録可能な光ディスクは、その多様な種類が同一種類の同等物と見なされる場合も、多様な種類の記録層の相変化物質が製造会社ごとに異なっており、記録可能な光ディスクに適用される記録速度、記録装置などの多様な要因が記録パワー及び消去パワーに影響を及ぼす。したがって、光ディスク装置に記録可能な光ディスクが挿入されると、使用者の記録命令によって記録可能な光ディスクにデータが記録される前に、挿入された記録可能な光ディスクに適した最適の記録パワーを検出するＯＰＣが行われる。最適の記録パワーを検出するために、ＯＰＣは、光ディスクに割り当てられたテスト領域であるＰＣＡ（Ｐｏｗｅｒ  Ｃａｌｉｂｒａｔｉｏｎ  Ａｒｅａ）で行われる。
【０００６】
ＯＰＣを行うために、まず、光ピックアップ部を、光ディスクのテスト領域として用いられるＰＣＡに移動し、該当の光ディスクに適した所定パワーを基準にして記録パワーを所定大きさだけ変化させながらテストデータをＰＣＡに記録する。テストデータは、１回のＯＰＣを行うとき、通常、１５個のフレームに対して１５段階の記録パワーによってＰＣＡに記録される。テストデータの記録が終了すると、記録されたテストデータを再生し、テストデータの再生特性から最適の記録パワーを検出する。
【０００７】
従来の光ディスクの最適パワー検出方法は、特許文献１に開示されている。この特許文献１によると、各ディスク製造社別に定義された情報を用いて最適記録パワーを検出し、得られた最適の記録パワー情報を基準にして記録パワーを所定大きさだけ変化させることで、該当の光ディスクにテストデータを記録し、これを通して、最適の記録パワーを再び検出する。
【０００８】
上記のように、何回も記録が行われた場合、データ未記録の部分と任意のデータ記録部分などがＰＣＡに混在されるので、この状態でＯＰＣが行われると、ＯＰＣ結果間の偏差が比較的大きくなる。そのため、従来の最適パワー検出方法においては、ＯＰＣ遂行後に検出された記録パワーが最適でないという問題点があった。
【０００９】
また、ＯＰＣ遂行前にＯＰＣを行う領域を消去する場合も、各製造会社から提供される最大パワーに所定比率を掛け算することで決定された消去パワーによって、その領域の消去が行われる。そのため、従来の方法は、特定の光ディスク装置及び光ディスク組み合わせに適していないので、ＯＰＣ結果が最適でないという問題点があった。
【特許文献１】韓国公開特許第１０−２００５−００２２８３０号公報
【発明の開示】
【発明が解決しようとする課題】
【００１０】
本発明は、上述した問題点を解決するためのもので、その目的は、ＯＰＣ遂行結果の信頼性を高めるために、ＯＰＣ遂行前にＯＰＣを行う領域の消去が最適に行われるように、該当の光ディスクの最適消去パワーを決定する光ディスク装置の最適消去パワー決定方法を提供することにある。
【課題を解決するための手段】
【００１１】
上記の目的を達成するための本発明に係る光ディスク装置の最適消去パワー決定方法は、光ディスクの最適記録パワーを検出するＯＰＣを行う前に、消去段階で光ディスク装置の最適消去パワーを決定する方法において、前記光ディスクに照射される光量を調節するために、印加されるパワーが変わるパワー対比変調度曲線を求める段階と、前記パワー対比変調度曲線で、前記パワーの変化による変調度の変化量を算出する段階と、前記算出された変調度の変化量を用いて最適の消去パワーを設定する段階と、を含む。
【００１２】
また、前記パワー対比変調度曲線を求める段階は、前記光ディスクの所定部分にテストデータを記録する段階をさらに含み、前記パワー対比変調度曲線は、前記記録されたテストデータを再生して求めることを特徴とする。
【００１３】
また、前記テストデータは、前記印加されたパワーが所定大きさずつ順次可変されながら、前記光ディスクの所定部分に記録されることを特徴とする。
【００１４】
また、前記光ディスクの所定部分は、前記光ディスクに設けられたＰＣＡであることを特徴とする。
【００１５】
また、前記消去パワーを設定する段階で、前記最適の消去パワーは、前記パワー対比変調度曲線で、前記変調度の変化量が最も大きい部分直前のパワーとして設定されることを特徴とする。
【００１６】
また、前記変調度の変化量が最も大きい部分は、前記パワー対比変調度曲線で変調度の変化量が最も大きく増加した部分であり、前記最適の消去パワーは、前記変調度の変化量が最も大きい部分直前のパワーと、その部分直前のパワーに所定の係数を掛け算して得たパワーと、の間のパワー範囲に設定されることを特徴とする。
【００１７】
上記の目的を達成するための本発明に係る光ディスク装置の最適消去パワー決定方法は、光ディスクの最適記録パワーを検出するＯＰＣを行う前に、消去段階で光ディスクの最適の消去パワーを決定する方法において、前記光ディスクの所定部分にテストデータを記録する段階と、前記テストデータが前記光ディスクの所定部分に記録されはじめる時点にレーザーダイオードに印加されるパワーを検出する段階と、前記検出されたパワーが含まれた所定範囲を最適の消去パワーとして設定する段階と、を含む。
【００１８】
また、前記テストデータは、前記レーザーダイオードに印加されるパワーを可変しながら記録されることを特徴とする。
【００１９】
また、前記テストデータが前記光ディスクの所定部分に記録されはじめる時点のパワーは、前記パワー対比変調度曲線を用いて検出されることを特徴とする。
【００２０】
また、前記光ディスクの所定部分は、前記光ディスクに設けられたＰＣＡであることを特徴とする。
【００２１】
また、前記テストデータが前記光ディスクの所定部分に記録されはじめる時点のパワーは、前記パワー対比変調度曲線の勾配が急激に変わる部分直前のパワーであることを特徴とする。
【００２２】
また、前記検出されたパワーが含まれた所定範囲は、前記検出されたパワーと、前記検出されたパワーに所定の係数を掛け算して得たパワーと、の間であることを特徴とする。
【００２３】
また、本発明の他の実施形態に係る光ディスク装置の最適消去パワー決定方法は、印加されたパワーを変化し、結果として得られた変調度を検出することで、パワー対比変調度の関係を求める段階と、前記求められたパワー対比変調度の関係に基づいて最適の消去パワーを設定する段階と、を含む。
【００２４】
また、本発明の他の実施形態に係る光ディスク装置の最適消去パワー決定方法は、求められたパワー対比変調度の関係に基づいて最適の消去パワーを設定する段階と、ＯＰＣを行う前に、ＯＰＣ結果の信頼性を高めるために、前記設定された最適の消去パワーを用いてＯＰＣが行われる光ディスクの一部を消去する段階と、を含む。
【発明の効果】
【００２５】
本発明に係る最適消去パワー決定方法は、最適の消去パワーを効率的に決定し、最適の状態でＯＰＣを行えるという効果がある。
【００２６】
また、ＰＣＡが効率的に消去されることで、ＯＰＣ遂行結果間の偏差が減少し、光ディスクの記録品質を向上できるという効果がある。
【００２７】
また、適切な消去パワーで消去動作を行うことで、光ディスクの損傷を最小化できるという効果がある。
【発明を実施するための最良の形態】
【００２８】
以下、本発明の好適な実施形態を、添付の図面に基づいて詳細に説明する。
【００２９】
図１は、一般的な光ディスク装置１を示したブロック図である。光ディスク装置１は、ＤＳＰ（デジタル信号処理部）２２と、チャネルビットエンコーダ１８と、光駆動部１６と、光ピックアップ部１２と、ＲＦ信号処理部２０と、を含んで構成される。
【００３０】
また、光ディスク装置１は、光ピックアップ部１２及びスピンドルモータ１４を駆動させるためのドライバー２６と、ドライバー２６の動作を制御するためのサーボ部２４と、光ディスク装置１の全般的な動作を制御するための制御部３０と、各種のデータを保存するための保存部３２と、を含んで構成される。
【００３１】
ＤＳＰ２２は、入力されるデジタルデータにエラー訂正コード（ＥＣＣ）などを付加し、入力デジタルデータを記録フォーマットに変換するデジタル記録信号処理部（ＤＳＰ記録）と、ＲＦ信号処理部２０の２進信号に位相同期されたクロック信号に基づいて、前記２進信号から元のデータを復元するデジタル再生信号処理部（ＤＳＰ再生）と、を含んで構成される。
【００３２】
チャネルビットエンコーダ１８は、デジタル記録信号処理部２２から出力された記録フォーマットのデータをビットストリームに再び変換し、データを光駆動部１６に出力する。
【００３３】
光駆動部１６は、入力される信号に基づいた光量信号を光ピックアップ部１２のレーザーダイオードに出力する。
【００３４】
光ピックアップ部１２は、入力される光量信号によって光ディスク１０にデータを記録し、光ディスク１９の記録面から反射されたレーザーを検出することで、該当のデータ信号をＲＦ信号処理部２０に出力する。
【００３５】
ＲＦ信号処理部２０は、光ピックアップ部１２で検出される信号を整流して２進信号を出力し、サーボ部２４は、光ピックアップ部１２のトラッキングエラー信号（Ｔ．Ｅ）、フォーカシングエラー信号（Ｆ．Ｅ）及び光ディスク１０の回転速度に基づいてドライバー２６の動作を制御する。
【００３６】
制御部３０は、光駆動部１６及びサーボ部２４を含む光ディスク装置１の全般的な動作を制御する。例えば、新しい光ディスク１０が光ディスク装置に挿入されると、制御部３０は、挿入された光ディスクと関連した情報を保存部３２に保存する。保存する前に、制御部３０は、ディスク１０のリードイン領域のデータを読み取って情報を得る。さらに、挿入された光ディスク１０にデータを記録するようにコマンドが入力されると、制御部３０は、該当の光ディスク１０の最適の記録パワーを得るためにＯＰＣ動作を制御する。上述したように、制御部３０は、ＯＰＣを行うために光ピックアップ部１２をＰＣＡに該当する位置に移動し、テストデータの記録時に記録パワーを所定大きさだけ順次増加し、データの記録が終了すると、記録されたデータを再生し、その再生特性に基づいて最適の記録パワーを設定した後、データを光ディスク１０に記録するように、光ディスク装置１を制御する。
【００３７】
挿入された光ディスク１０がブルーレイディスクなどの記録可能な光ディスクで、既に何回も記録が行われた場合、ＰＣＡには、未記録部分がないか、任意のデータが部分的に記録された混在部分が存在する。このような状態で、ＰＣＡでＯＰＣが行われると、検出された記録パワーの信頼性が低下する。したがって、ＯＰＣを行う前に、ＯＰＣが行われるディスクの部分を消去し、ＯＰＣ結果の信頼性を増加させることが好ましい。さらに、データ未記録のＰＣＡがある場合も、ＯＰＣが行われる記録層の部分を均一にするためにＰＣＡの消去を行うことが好ましい。その結果、光ディスクの最適の記録パワーが検出される。
【００３８】
光ディスクのディスク情報は、光ディスクの製造会社によって提供される消去パワーと関連した情報を含んでいるが、多様な光ディスク装置及び光ディスクの組み合わせと関係のない一般的な情報である。そのため、各光ディスク装置は、光ディスクの最適の消去パワーで動作できないという問題がある。
【００３９】
したがって、本発明に係る光ディスク装置の最適消去パワー決定方法においては、パワー対比変調度曲線を用いて最適の消去パワーを決定することで、最適のＯＰＣ遂行結果を得られるという効果がある。
【００４０】
図２は、本発明に係る光ディスク装置の最適消去パワー設定によるＯＰＣ遂行方法を示すフローチャートである。以下、図３Ａ、図３Ｂ、図４Ａ、図４Ｂ、図５Ａ、図５Ｂに基づいて、本発明に係る光ディスク装置の最適パワー決定方法を説明する。図３Ａ、図４Ａ、図５Ａのｘ軸は、光ディスクに照射される光量を調節するために光ピックアップ部１２のレーザーダイオードに印加されるパワーを示し、ｙ軸は、レーザーダイオードに印加されるパワーと関連して得られた変調度を示す。また、図３Ｂ、図４Ｂ、図５Ｂのｘ軸は、消去パワーとして用いられたパワーを示し、ｙ軸は、その消去パワーを用いてＯＰＣが行われる領域を消去した後、ＯＰＣを行ったときのＯＰＣ遂行結果の偏差を示す。一般的に、図３Ａ、図４Ａ、図５Ａは、図３Ｂ、図４Ｂ、図５Ｂにそれぞれ対応する。
【００４１】
光ディスク１０が挿入され、挿入された光ディスクにデータを記録するようにコマンドが制御部３０に入力されると（Ｓ２１０）、制御部３０は、光ピックアップ部１２を制御してＰＣＡを探索する（Ｓ２２０）。上述したように、全てのＰＣＡがテストデータで一杯になって未記録領域がないか、ＰＣＡが部分的にテストデータで一杯になる場合も、ＯＰＣの信頼性の高い結果を算出するためにＰＣＡを消去することが好ましい。したがって、最適の消去パワーを算出するための過程が行われる。
【００４２】
まず、所定の記録パワーを可変しながら、光ディスクの所定部分（ＰＣＡ部分）にデータを記録する（Ｓ２３０）。記録パワーが可変されると、光ディスクに記録されるテストデータの変調度ｍが可変される。変調度ｍは、次の式によって表現される。
ｍ＝（Ｉｍａｘ−Ｉｍｉｎ）／Ｉｍａｘ
ここで、Ｉｍａｘは、光信号のうちランド部分のＲＦ信号の振幅で、（Ｉｍａｘ−Ｉｍｉｎ）は、再生ＲＦ信号の振幅である。すなわち、記録パワーが減少すると、再生ＲＦ信号の振幅も減少するので、結果として変調度ｍが減少する。一方、記録パワーが増加すると、変調度ｍも増加する。
【００４３】
記録パワーを可変しながら得た変調度ｍは、保存部３２に保存される。また、得られた変調度ｍは、可変したパワーに対するパワー対比変調度曲線を計算するときに用いられる（Ｓ２４０）。保存された変調度ｍは、変調度ｍが急激に変わる（パワー対比変調度曲線の勾配が急激になりはじめる）変調度曲線の一部（パワー対比変調度曲線ともいう）を探索するとき、制御部３０によって参照される（Ｓ２５０）。変調度が急激に変わる部分は、一つ以上の基準値と変調度ｍとを比較することで決定される。例えば、変調度ｍが急激に変わる変調度曲線の一部は、所定の記録パワー増加によって、各記録パワーに対応する変調度の差と基準値とを比較することで探すことができる。適切な基準値は、実験に基づいて設定される。他の例として、記録パワーが比較的小さいとき、変調度がほぼ０に近いので、適切な基準値を設定する。その後、記録パワーに対応する変調度がその基準値を超えると、変調度が急激に変わる部分として判断される。上述したように、変調度を探す方法には、多様な方法がある。
【００４４】
図３Ａ、図４Ａ及び図５Ａに示すように、変調度曲線は、所定のパワーでパワー対比変調度曲線が急激に増加しはじめるまで、ほぼ０に近い値を維持する。変調度の急激な増加は、光ディスクにＰＩＴが形成されはじめたことを意味する。すなわち、この状態は、データが光ディスクに記録されはじめた時点と判断される。パワー対比変調度曲線は、高い記録パワーで横ばいになる。本発明の多様な実施形態において、パワー対比変調度曲線を得るために印加される初期記録パワーは、任意のパワー値、または、ディスクやディスク装置の製造会社によって提供されるパワー値である。さらに、初期記録パワーは、前記提供されたパワー値以下または以上の数である。すなわち、初期記録パワーの適用は、０で始まる必要はない。
【００４５】
また、図３Ｂ、図４Ｂ及び図５Ｂは、図３Ａ、図４Ａ及び図５Ａで用いられたパワーと関連した各ＯＰＣ偏差を示す。図３Ｂ、図４Ｂ及び図５Ｂは、パワー対比変調度曲線で変調度ｍが急激に変わる時点に対応するパワーに、最適の消去パワーが設定されることを示す。図３Ｂ、図４Ｂ及び図５Ｂに示すように、ＯＰＣ偏差は、パワー（消去パワー）が比較的非常に小さい（例えば、図３Ｂに示した１．５ｍＷ以下のパワー）部分、ＯＰＣ偏差に対応する変調度が急激に増加する（例えば、図３Ｂに示した３〜３．７５ｍＷのパワー）部分、消去パワーが比較的非常に大きい（例えば、図３Ｂに示した約４ｍＷのパワー）部分で比較的小さい。しかし、消去パワーが比較的非常に小さい部分のＰＣＡデータが消去されていないので、３つの可能な選択のうち、消去パワーが比較的非常に小さい部分に対応するパワーは、最適の消去パワーとして用いられない。さらに、大きい印加電圧がＬＤなどの光ピックアップ１２を含む光ディスク装置を不安定にするので、ＯＰＣ偏差に対応する変調度が大きい部分に対応するパワーの部分は、光消去パワーとして用いられない。
【００４６】
したがって、図３Ａ〜図５Ｂに示すように、最適の消去パワーを決定するのに用いられるパワー対比変調度曲線の適切な部分は、急な変調度増加が発見される部分に対応するパワーの時点である。この部分は、光ディスクの記録層がその部分に印加されたパワーに敏感になりはじめる時点である。そのため、その部分のパワーを光ディスクの消去パワーとして用いると、光ディスクの記録層を均一にするのに効果的であり、得られた消去パワーが非常に弱くなるか、非常に強くなることを避けられる。
【００４７】
また、変調度が急激に変わりはじめる部分以後のパワー対比変調度の部分は、光ディスクのためのパワーの小さい変化に対する変調度の大きい変化を示す。そのため、その部分に対応するパワーを消去パワーとして用いる場合、ＯＰＣの偏差が大きくなるという問題点がある。したがって、変調度が急激に変わる時点のパワー対比変調度曲線の部分と、急激に変わる時点に１以下の所定係数を掛け算して得られた曲線の部分との間で消去パワーを発見することが好ましい。このように最適の消去パワーを得ることで、好ましいＯＰＣ結果を得られる（Ｓ２６０）。
【００４８】
その後、上述した段階を通して得た消去パワーを用いてＰＣＡを消去した後、ＯＰＣを行う（Ｓ２７０）。例えば、ＯＰＣ動作は、テストデータを記録し、ＯＰＣを繰り返して行うことで、最適の記録パワーを検出するために、記録されたデータを再生する。最適の記録パワーが一回検出されると、その検出された最適の記録パワーは、多様なパラメータを設定するのに用いられる（Ｓ２８０）。最適の記録パワーが検出されたとき、検出されたパワーを用いてデータ記録が開始される（Ｓ２９０）。
【００４９】
全ての実施形態で要求されることはないが、前記方法の要素は、一つ以上のプロセッサ及び／またはコンピュータ用のソフトウェア及び／またはファームウェアとして実行される。さらに、プロセッサ及び／またはコンピュータ可読媒体は、前記方法を行うためのコンピュータ及び／またはプロセッサ実行可能命令で符号化される。
【図面の簡単な説明】
【００５０】
【図１】一般的な光ディスク装置を示すブロック図である。
【図２】本発明に係る光ディスク装置の最適消去パワー設定によるＯＰＣ遂行方法を示すフローチャートである。
【図３Ａ】本発明に係る光ディスク装置の最適消去パワー設定のための第１変調度曲線を示すグラフである。
【図３Ｂ】図３Ａの消去パワーによる第１ＯＰＣ偏差曲線を示すグラフである。
【図４Ａ】本発明に係る光ディスク装置の最適消去パワー設定のための第２変調度曲線を示すグラフである。
【図４Ｂ】図４Ａの消去パワーによる第２ＯＰＣ偏差曲線を示すグラフである。
【図５Ａ】本発明に係る光ディスク装置の最適消去パワー設定のための第３変調度曲線を示すグラフである。
【図５Ｂ】図５Ａの消去パワーによる第３ＯＰＣ偏差曲線を示すグラフである。
【符号の説明】
【００５１】
１２      光ピックアップ部
１４      スピンドルモータ
１６      光駆動部
１８      チャネルビットエンコーダ
２０      ＲＦ信号処理部
２２      ＤＳＰ
２４      サーボ部
３０      制御部
３２      保存部
【図１】
2007226948.tif 000003
【図２】
2007226948.tif 000004
【図３Ａ】
2007226948.tif 000005
【図３Ｂ】
2007226948.tif 000006
【図４Ａ】
2007226948.tif 000007
【図４Ｂ】
2007226948.tif 000008
【図５Ａ】
2007226948.tif 000009
【図５Ｂ】
2007226948.tif 000010